(57)【要約】【課題】  本考案では、背面に撮影用のカメラレンズを備えた腕時計型携帯電話端末において、背面にある撮影用のカメラ機能を常時使用可能な状態にできる腕時計型携帯電話端末用のカメラスタンドを提供する。【解決手段】  腕時計型携帯電話端末１０の背面に備えられた撮影用のカメラレンズ部分を、腕時計型携帯電話端末装着バー６のカメラ装着部２へ装着する。カメラ撮影部３のレンズより入る映像は、プリズム１ｂからプリズム１ａへと反射して通り、更に腕時計型携帯電話端末１０の背面に備えられた撮影用のカメラレンズへと送られる。カメラ撮影部３の備えられた回転体４は、内部が空洞になった回転部５を軸に、３６０度の全方位を縦回転し、様々な角度の映像を入手する事が可能になる。【選択図】図３
2016206627.tif 000002
【特許請求の範囲】
【請求項１】
腕時計型携帯電話端末用のカメラスタンドにおいて、腕時計型携帯電話端末装着バーの内部に少なくとも二つ以上のプリズム（反射鏡）Ａ、Ａ’を内蔵し、カメラ撮影部から入る撮影対象の映像を、カメラ撮影部の内部に備えられたプリズム（反射鏡）Ａ’から、カメラ装着部の内部に備えられたプリズム（反射鏡）Ａにて、撮影対象の映像を反射し、腕時計型携帯電話端末の背面カメラへと撮影対象の映像を送る事を特徴とする腕時計型携帯電話端末用のカメラスタンド
【請求項２】
カメラ撮影部の備えられた回転体は、内部が空洞になった回転部を軸に、３６０度の全方位を縦回転し、様々な角度の映像を入手する事が可能になる事を特徴とする請求項１記載の腕時計型携帯電話端末用のカメラスタンド
【発明の詳細な説明】
【技術分野】
【０００１】  本考案は腕時計型携帯電話端末用のカメラスタンドに関する。
【背景技術】
【０００２】  腕時計型携帯電話端末の一部の機種には、撮影用のカメラレンズを、正面の液晶ディスプレイ側から見て、背面に有した機種が存在する。【０００３】  この撮影用のカメラレンズを背面に備えた腕時計型携帯電話端末で、常時撮影可能な状態にする際には、腕時計型携帯電話端末本体を固定する手段等がなく、不便である。
【発明の開示】
【発明が解決しようとする課題】
【０００４】  本考案では、背面に撮影用のカメラレンズを備えた腕時計型携帯電話端末において、背面にある撮影用のカメラ機能を常時使用可能な状態にできる腕時計型携帯電話端末用のカメラスタンドを提供する。
【課題を解決する為の手段】
【０００５】  腕時計型携帯電話端末１０の背面に備えられた撮影用のカメラレンズ部分を、腕時計型携帯電話端末装着バー６のカメラ装着部２へ装着する。
【０００６】  （０００５）によりカメラ撮影部３のレンズより入る映像は、プリズム１ｂからプリズム１ａへと反射して通り、更に腕時計型携帯電話端末１０の背面に備えられた撮影用のカメラレンズへと送られる。
【０００７】  カメラ撮影部３の備えられた回転体４は、内部が空洞になった回転部５を軸に、３６０度の全方位を縦回転し、様々な範囲の映像を入手する事が可能になる。
【０００８】  （０００７）の３６０度の全方位への縦回転は、手動操作による縦回転、あるいは回転部５の内部か外部、もしくは回転体４の内部か外部に、回転体４の回転運動に作用するギア１２を設け、回転体４の縦回転を、ギア１２で操作する為のモーター１１を、携帯電話端末装着バー６の内部に搭載し、このモーター１１を制御する手段、プログラムあるいは、電子制御装置等を使用し、腕時計型携帯電話端末１０本体、あるいは携帯電話端末、ＰＣ等による電子操作により、自動回転させる事が可能である。
【発明の効果】
【０００９】  回転体４に備えられたカメラ撮影部３のレンズの向きを、手動回転、または自動回転による３６０度の全方位を自由に変える操作により、様々な範囲の映像情報を入手する事が可能である。
【００１０】  例えば回転体４に備えられたカメラ撮影部３を下方向へ向ける事により、固定台７へ置いた本や紙媒体等を接写する事が可能になる。
【００１１】  また、回転体４に備えられたカメラ撮影部３のレンズの向きを、撮影者本人である自分のいる方向へ回転移動する事により、腕時計型携帯電話端末１０の正面にある液晶画面を見ながら撮影の操作ができ、自分自身を撮影する事が可能となる。
【００１２】  （０００９）から（００１１）のように、腕時計型携帯電話端末１０を、カメラスタンドで固定する事により、腕時計型携帯電話端末１０本体の背面カメラの手ぶれを防ぎつつ、３６０度の様々な範囲の映像を撮影する事が可能となる。
【００１３】  カメラ装着部２の周辺において、腕時計型携帯電話端末１０の充電用の接続端子等を有しても良い。
【００１４】  （００１３）によれば、腕時計型携帯電話端末１０を、腕時計型携帯電話端末装着バー６へ装着した状態のまま、腕時計型携帯電話端末１０のカメラ撮影機能を使用しつつ、腕時計型携帯電話端末１０本体の充電が可能になる。
【００１５】  高さ調整ハンドル９は腕時計型携帯電話端末装着バー６の高さ調整するのに使用する。
【００１６】  高さ調整ハンドル９はクリップ状の固定手段にしてもよい。
【００１７】  クリップ状にする事で、支柱８や固定台７を使用することなく、支柱にできるポイントがあれば、腕時計型携帯電話端末装着バー６のクリップ部で支柱にできるポイントで挟み込み事で、腕時計型携帯電話端末装着バー６を固定することができる。
【００１８】  腕時計型携帯電話端末装着バー６の内部に備えられている映像反射用のプリズム１ａ〜１ｂはプリズム１ａ〜ｂの変わりに、反射鏡ａ〜ｂを用いてもよい。
【発明を実地する為の最良の形態】
【００１９】  固定台７に設置された支柱８に腕時計型携帯電話端末装着バー６を固定する手段を設け、高さ調整ハンドル９で、腕時計型携帯電話端末装着バー６の高さ位置の調整が行える。
【００２０】  （００１９）により、撮影対象である物体の撮影位置をある程度調節する事ができる。
【００２１】  腕時計型携帯電話端末装着バー６のカメラ装着部２には、腕時計型携帯電話端末１０を装着可能である。
【００２２】  装着方法は腕時計型携帯電話端末１０本体に備えられたバンドによる固定、もしくはカメラ装着部２の内枠あるいは外枠に、腕時計型携帯電話端末１０を一時固定するための突起部等の型枠を設け、腕時計型携帯電話端末用１０を一時固定用の突起部に、一時的に固定する装着方法でも良い。
【００２３】  腕時計型携帯電話端末１０は、正面の液晶画面から見て背面に、撮影用の小型カメラを備えられており、この小型カメラにて撮影する。
【００２４】  しかしながら腕時計型携帯電話端末１０の背面に小型カメラを備えた為、腕時計型携帯電話端末１０の液晶画面を見ながら撮影者本人を撮影するという行為はできない。
【００２５】  また腕時計型の小さい携帯電話端末の為、撮影の際の手振れや、小型液晶画面の見えにくさ等により、撮影するのが比較的難しくなる。
【００２６】  本考案の発明品では、カメラ撮影部３から入る撮影対象の映像は、カメラ撮影部３の内部に備えられたプリズム１ｂから、カメラ装着部２の内部に備えられたプリズム１ａにおいて、映像を反射し、腕時計型携帯電話端末１０の背面カメラへと送られる。
【００２７】  カメラ撮影部３を備えた回転体４を、３６０度の範囲で縦回転させる事により、正面あるいは上面、側面、下面などの３６０度の範囲で撮影する事ができる。
【００２８】  （００２７）によれば、カメラ撮影部３のレンズ部を、撮影者本人に向けることにより、撮影者本人が、腕時計型携帯電話端末１０の正面の液晶画面を見ながら、撮影者本人である自分を撮影する事が可能になる。
【００２９】  またカメラ撮影部３のレンズ部を下方向へ回転移動し、写真や新聞紙などの紙媒体などを固定台７の上に置くことにより、手振れの心配もなく、連続して接写する事が可能になる。
【００３０】  回転体４の３６０度の回転操作は手動操作による回転、もしくはモーター１１を腕時計型携帯電話端末装着バー６の内部に内蔵し、内部が空洞である回転部５の内部もしくは外部に、回転体４を縦回転させる為の手段である、ギア１２を設け、腕時計型電話携帯電話端末１０、あるいは携帯電話、他のＰＣ等の端末からモーター１１をプラグラムにて電子制御で操作し、回転体４の回転操作をしても良い。
【図面の簡単な説明】
【００３１】
【図１】  腕時計型携帯電話端末用のカメラスタンドを示した正面図である。
【図２】  腕時計型携帯電話端末用のカメラスタンドを示した上面図である。
【図３】  腕時計型携帯電話端末用のカメラスタンドを示した正面図と上面図である。
【符号の説明】
【００３２】１  プリズム
２  カメラ装着部
３  カメラ撮影部
４  回転体
５  回転部
６  腕時計型携帯電話端末装着バー
７  固定台
８  支柱
９  高さ調整ハンドル
１０  腕時計型携帯電話端末
１１  モーター
１２  ギア
【図１】
2016206627.tif 000003
【図２】
2016206627.tif 000004
【図３】
2016206627.tif 000005